(57)【特許請求の範囲】
【請求項１】  植物において機能的な転写開始領域に、発現のための正常な配向に連結された外来ＤＮＡ配列と共に、当該正常な配向に対して反対の配向に連結された当該外来ＤＮＡ配列を有する組換えＤＮＡ構造体であって、この構造体を作用可能に担持する植物細胞中でアンチセンスＲＮＡ配列が転写されることを特徴とするアグロバクテリウム法による植物形質転換用の組換えＤＮＡ構造体。
【発明の詳細な説明】
【０００１】
【発明の属する技術分野】
遺伝子工学による植物の変性は、単細胞生物及び哺乳類細胞の分子生物学の理解及び利用に遅れをとって来た。外来性ＤＮＡによる単細胞微生物又は哺乳類細胞の安定した形質転換のために効果的だと立証された技法は、植物細胞に関しても有用な類似法であるとは見出されてはいない。従って、単細胞微生物及び哺乳類細胞に関与する多くの業績にもかかわらず、植物細胞に関する業績の数は、実質的に少なく、そして他のタイプの生物に関する経験内容を、植物細胞に関する好結果をもたらす実施態様に容易に変えることはできない。
【０００２】
多くの場合、新しい形質を導入することよりもむしろ、植物細胞の存在形質を変性することが好ましいであろう。従って、他と比較して１つの対立遺伝子の優先的な発現を提供する特定の酵素、他と比較して１つのアイソザイム又は同様のものの活性を変性することが望まれるであろう。多くの場合、発現を完全に阻害するよりもむしろ、構造遺伝子の発現の量を減じることが望まれる。従って、特定の植物細胞、植物組織又は植物の表現型の指図された変性を可能にするであろう技法を開発することが興味の対象である。
【０００３】
【従来の技術】
Ｃｒｏｗｌｅｙなど、Ｃｅｌｌ（１９８５）４３：６３３〜６４１は、ディクチオステリウム（Ｄｉｃｔｙｏｓｔｅｌｉｕｍ）中にトランスフェクトされたジスコイジン遺伝子のアンチ−センス構造体を使用して、内在性ジスコイジン遺伝子の発現を抑制したことを記載する。またこの中に引用された参考文献も参照のこと。アンチ−センス調節がまた、Ｒｏｓｅｎｂｅｒｇなど、Ｎａｔｕｒｅ（１９８５）３１３：７０３〜７０６；Ｐｒｅｉｓｓなど、Ｎａｔｕｒｅ（１９８５）３１３：２７〜３２；Ｍｅｌｔｏｎ，Ｐｒｏｃ．Ｎａｔｌ．Ａｃａｄ．Ｓｃｉ．ＵＳＡ（１９８５）８２：１４４〜１４８；Ｉｚａｎｔ及びＷｅｉｎｔｒａｕｂ，Ｓｃｉｅｎｃｅ（１９８５）２２９：３４５〜３５２；及びＫｉｍ及びＷｏｌｄ，Ｃｅｌｌ（１９８５）４２：１２９〜１３８によって記載された来た。
【０００４】
また、Ｉｚａｎｔ及びＷｅｉｎｔｒａｕｂ．Ｃｅｌｌ（１９８４）３６：１００７〜１０１５；Ｐｅｓｔｋａなど、Ｐｒｏｃ．Ｎａｔｌ．Ａｃａｄ．Ｓｃｉ．ＵＳＡ（１９８４）８１：７５２５〜７５２８；Ｍｉｚｕｎｏなど、前記（１９８４）８１：１９６６〜１９７０；Ｃｏｌｅｍａｎなど、Ｃｅｌｌ（１９８４）３７：６８３〜６９１；Ｔｒａｖｅｒｓ．Ｎａｔｕｒｅ（１９８４）３１１：４１０及びＷｅｉｎｔｒａｕｂなど、Ｔｒｅｎｄｓ  ｉｎ  Ｇｅｎｅｔｉｃｓ（１９８５）１：２２〜２５も参照のこと。ＭｃＧａｒｒｙ及びＬｉｎｄｑｕｉｓｔ．Ｐｒｏｃ．Ｎａｔｌ．Ａｃａｄ．Ｓｃｉ．ＵＳＡ（１９８６）８３：３９９〜４０３は、熱誘発性アンチ−センスＲＮＡによる熱ショックタンパク質の阻害を報告する。
【０００５】
【発明の要約】
植物細胞における発現の調節は、転写されたＤＮＡ配列が宿主によってすでに転写されたＤＮＡ配列に少なくとも一部相補的である遺伝子を含有するＤＮＡ配列を植物細胞宿主中に組込むことによって達成される。組込まれた外因性ＤＮＡは、植物細胞宿主によって認識された転写開始領域の転写調節下にあるであろう。この組込まれた外因性ＤＮＡの転写は、宿主細胞の内因性ＲＮＡに相補的であろうアンチ−センスＲＮＡのマルチコピーをもたらすであろう。このアンチ−センスｍＲＮＡは、天然に存在するＲＮＡの機能の減少をもたらすであろう。
【０００６】
【発明の実施の形態】
ＲＮＡ利用の調節、特に植物宿主細胞の表現型特性の調節のための方法及び組成物が提供される。
その組成物は、宿主に内在性のＲＮＡ、特にｍＲＮＡ上に存在する配列に相補的である配列によって分離された転写開始及び終結領域を有する転写構造体を含む。この手段によって、植物宿主細胞に相補的な種々の方法が調節され得、その結果、個々のタンパク質の産生が減じられ、多くの酵素工程が調節され、特定の代謝経路が１又はそれよりも多くの他の代謝経路よりはむしろ調節され又は阻害され、非タンパク質性生成物の産生が減じられ、細胞分化が変性され及び同様のものが生ぜしめられ得る。
【０００７】
ｍＲＮＡの配列に相補的な配列は、普通少なくとも約１５ヌクレオチド、より普通には少なくとも約２０ヌクレオチド、好ましくは約３０ヌクレオチド及びより好ましくは約５０ヌクレオチドであり、そして１００ヌクレオチド又はそれ以上、普通約５０００ヌクレオチドよりも少なく、より普通には２０００ヌクレオチドよりも少なく、そして好ましくは１０００ヌクレオチドよりも少ない。
【０００８】
その配列はｍＲＮＡのいづれかの配列に相補的であり、すなわち、それは５′−末端又はキャッピング部位に近く、該キャッピング部位から下流に存在し、該キャッピング部位と開始コドンの間に存在し、そして非コード領域のすべて又は一部のみを包含し、非コード及びコード領域をブリッジし、該コード領域のすべて又は一部に相補的であり、該コード領域の３′−末端に相補的であり又はｍＲＮＡの３′−非翻訳領域に相補的であることができる。ｍＲＮＡに関しては、該ｍＲＮＡはプロセス又はプロセスされず、すなわちイントロンを含むことができる。従って、非コード領域は、５′又は３′の非コードフランキング領域及びイントロンを含むことができる。
【０００９】
特定の部位にアンチ−センス配列が結合し、そして該アンチ−センス鎖の長さは、目的とする阻害度、配列のユニークさ、アンチ−センス配列の安定性又は同様のものに依存して異なるであろう。従って、これらの因子は、特定のアンチ−センス配列により観察された経験に基づいて多少決定されるであろう。
配列は、単一配列又は複数の反復配列をタンデムに有する反復配列であり、ここで該単一配列は、多くのｍＲＮＡに結合することができる。ある場合、ホモ二重鎖を提供するよりはむしろ、ヘテロ二重鎖が使用され得、ここでその同じ配列は、異なったｍＲＮＡに相補的な領域を有することによって、多くのｍＲＮＡの阻害を提供することができる。
【００１０】
アンチ−センス配列は、結合の確率を高めるために、非反復配列又は反復配列に相補的であることができる。従って、そのアンチ−センス配列は、非反復配列の１つのユニットの反復配列又は多くのユニットの反復配列結合に関与され得る。そのアンチ−センス配列は、単一の遺伝子又は多くの遺伝子の発現の調節をもたらすことができる。
転写構造体は、転写に向かって、転写開始領域、センス鎖上でアンチ−センスＲＮＡをコードする配列及び転写終結領域から成るであろう。
【００１１】
その転写開始領域は、構成的な発現又は調節された発現を提供することができる。植物において機能的である多くの数のプロモーターを利用できる。これらのプロモーターは、Ｔｉ−Ｒｉ−プラスミド、植物細胞、植物ウィルス又は他の宿主（ここで、プロモーターは、植物中において機能的であるように思われる）から得られる。例示的なプロモーターは、植物中で機能的な細菌起源のプロモーターの例示として、オクトピンシンテターゼプロモーター、ノパリンシンテターゼプロモーター、ナトピンシンテターゼプロモーター、等を含む。
【００１２】
ウィルスプロモーターは、カリフラワーモザイクウィルスの完全な長さ（３５Ｓ）及び領域VIのプロモーター、等を含む。内因性植物のプロモーターは、リブロース−１，６−ビホスフェート（ＲＵＢＰ）カルボキシラーゼ小サブユニット（ｓｓｕ）、β−コングリシニンプロモーター、ファセオリンプロモーター、ＡＤＨプロモーター、熱ショックプロモーター、組織特異性プロモーター、果実の成熟に関連するプロモーター、等を含む。
転写開始領域は、天然に存在する領域、調節領域を欠くＲＮＡポリマラーゼ結合領域又は１つの遺伝子からのＲＮＡポリマラーゼ結合領域及び異なった遺伝子からの調節領域の組み合せであることができる。その調節領域は、物理的刺激、たとえば熱（熱ショック遺伝子に関する）、光（ＲＵＢＰカルボキシラーゼＳＳＵに関する）又は同様のものに反応することができる。
【００１３】
他方、その調節領域は、分化シグナル、たとえばβ−コングリシニン遺伝子、ファセオリン遺伝子又は同様のものに敏感である。第三タイプの調節領域は、代謝物に反応する。アンチ−センス配列ＲＮＡの発現の時及びレベルは、産生された表現型に対して一定の効果を有する。従って、選択されたプロモーターは、アンチ−センスＲＮＡの効果を決定するであろう。
いづれか便利な終結領域、すなわちＲＮＡポリマラーゼ結合領域の終結領域又は異なった終結領域が使用され得る。種々の終結領域が利用でき、そしてまず便利さからそれを選択し、ここで従来の構造体又はＤＮＡ配列が利用できる。便利には、オピン終結領域又は内在性遺伝子、（たとえば、前に記載された遺伝子）からの終結領域を、使用することができる。
【００１４】
種々のフラグメントを、リンカー、アダプター又は同様のものによって、もしくは便利な制限部位が利用できる場合、直接的に連結することができる。特に複製システムに結合されるＤＮＡ配列は、段階的に連結され、ここで、該複製システム上に存在するマーカーは、選択のために使用され得る。
本発明の構造体は、種々の方法で宿主細胞中に導入され得る。プロトプラスト、傷つけられた葉又は体外培養組織に関しては、Ａ．ツメファシエンス（Ａ．ｔｕｍｅｆａｃｉｅｎｓ）を特に使用する。使用され得る他の技法は、プロトプラストによるエレクトロポレーション（ｅｌｅｃｔｒｏｐｏｒａｔｉｏｎ）、リポゾーム融合、マイクロインジェクション又は同様のものを含む。植物細胞を形質転換するための特定の方法は、本発明で臨海的ではない。
【００１５】
いづれかの植物、たとえば被子植物、裸子植物、単子葉植物及び双子葉植物が、本発明に従って使用され得る。対象の植物は、穀類、たとえば小麦、大麦、トウモロコシ、トリチカル（ｔｒｉｔｉｃａｌｅ）；果物類、たとえばアプリコット、オレンジ、グレープフルーツ、リンゴ、ナシ、アボカド、等；堅果類、たとえばクルミ、アーモンド、ムラサキハシバミ、ペカン、等；野菜；たとえばニンジン、レタス、トマト、セロリ、カブラ、ジャガイモ、ブロッコリィ、アスパラガス、等；木質種、たとえばポプラ、松、セコイア、杉、樫、等；装飾用花；又は他の金になる収穫物、たとえばタバコ、ホホバ、ナタネの種子、クフェア（Ｃｕｐｈｅａ）、大豆、ヒマワリ、破糖ダイコン、ベニバナ、等を含む。おのおのの種に関しては、宿主の表現型を変えるために、調節するための異なった遺伝子が一般的に存在するであろう。
【００１６】
細胞が形質転換された後、その細胞は、植物中に再生されるであろう。種々の技法が、細胞から植物を再生するために存在する。カルスはその細胞から発育され、そしてそのカルスは、新芽を形成するように誘導され、そして次に植物を再生するために土壌中の適切な栄養培地に移され得る。次に、その植物は成長し、そして多くの世代にわたって表現型の変化の安定性を確立するために、他の植物と交差され得る。他の技法が、受粉又は受精なしに植物を再生するために使用され得る。培養物から再生され得るこれらの植物の遺伝子型は、収穫物種類として直接的に適用できないので、形質転換された植物は、適切な育種系に形質を転換するために、他の形質転換されていないジャームプラスマにより交差され得る。
【００１７】
広範囲の種類の変性が多くの型の植物に行なわれ得る。これらの変性は、脂肪酸源、たとえばナタネの種子、クフェア又はホホバの脂肪酸分布を変え、果物及び野菜の成熟を遅らせ、果実及び野菜の官能的な貯蔵、荷造、採集及び／又は加工を変え、花束のために切られた花の開花又は老化を遅らせ、植物中における１又はそれよりも多くの物質、たとえばカフェイン、テオフィリン及びニコチンの量を減じ、耐病性を増強し、又は植物における耐ウィルス病を増強することを含むことができる。
【００１８】
脂肪酸分布を変えることに関しては、目的とする種はココナッツ及びヤシの木、クフェア種、ナタネの種子又は同様のものである。特定の対象の目的とする遺伝子は、アセチルトランスアシラーゼ、アシルキャリヤータンパク質、チオエステラーゼ、等である。
ニコチンの量を変えることに関しては、目的とする種はタバコである。この目的とする遺伝子は、Ｎ−メチルプトレッシンオキシターゼ又はプトレッシンＮ−メチルトランスフェラーゼである。
果物の成熟を遅らせることに関しては、目的とする種は、トマト又はアボガドである。その目的とする遺伝子は、ポリカラクツロナーゼ又はセルラーゼである。
【００１９】
カフェインの量を変えることに関しては、目的とする種はコーヒー〔コフェア・アラビカ（Ｃｏｆｆｅａ ａｒａｂｉｃａ）〕である。その目的とする遺伝子は１−メチルキサンチン３−メチルトランスフェラーゼである。
テオフィリシンの量を変えることに関しては、その種は茶〔カメリア・シネンシス（Ｃａｍｅｌｌａ ｓｉｎｅｎｓｉｓ）〕である。その目的とする遺伝子は１−メチルキサンチン  ３−メチルトランスフェラーゼである。
花の色を変えることに関しては、目的とする種は、ペチュニア、バラ、カーネーション又はキク等である。その目的とする遺伝子は、カルコンシンテターゼ、フェニルアラニンアンモニアリアーゼ又はデヒドロケンフェロール（フラボン）ヒドロキシラーゼ等である。
【００２０】
リグニン含有量を変えることに関しては、目的とする種は、タエダマツ、ドーグラスモミ、ポプラ等である。その目的とする遺伝子は、シンナモイル−ＣｏＡ：ＮＡＤＰＨレダクターゼ又はシンナモイルアルコールデヒドロゲナーゼ等である。
植物における耐ウィルス病を増強することに関しては、目的とするウィルス／植物の組み合せは、タバコ又はトマトにおけるタバコモザイクウィルス、ビート壊死イエローベインウィルス、テンサイにおけるリゾマニアの原因物質、イチゴにおける種々のイチゴウィルス又はいづれか他の組み合せである。植物細胞におけるアンチ−センスウィルスＲＮＡの発現は、ウィルス感染を減じ又は増殖を阻害する。
【００２１】
転写構造体は普通、その構成の間、操作及びクローニングのために複製システム、特に細菌の複製システムに結合されるであろう。その複製システムは、便利な複製システム、特にＥ．コリ（Ｅ．ｃｏｌｉ）中で機能的である複製システムであり、そして１又はそれよりも多くのマーカーが、形質転換された細菌を検出するために存在することができる。
Ａ．ツメファシエンス又はＡ．リゾゲネス（Ａ．ｒｈｉｚｏｇｅｎｅｓ）がＤＮＡを転移するために用いられる場合、その構造体はまた、少なくとも１つのＴ−ＤＮＡボーダーに結合されるであろう。従って、その構造体は、１つのＴ−ＤＮＡボーダー、特に右のＴ−ＤＮＡボーダーを含むであろうし、又は左及び右のＴ−ＤＮＡボーダーの間にはさまれ得る。
【００２２】
種々の技法が、転移のための手段としてＴｉ−又はＲｉ−プラスミドを用いて、前記構造体を転移するために存在する。Ｔ−ＤＮＡにおける構造体が組換えによってＴｉ−又はＲｉ−プラスミド中に組込まれるように成る場合、これらの技法は、アグロバクテリアム中で複製できるプラスミドを提供することを含む。他方、アグロバクテリアム中のＴｉ−又はＲｉ−プラスミドが、構造体のＴ−ＤＮＡと相同のＴ−ＤＮＡ領域を有するか又は有しない場合、二成分ベクターが使用され得る。いづれにしても、ｖｉｒ遺伝子が内因性プラスミド上に存在するかぎり、そのＴ−ＤＮＡは植物に好結果を持って転移され得る。
【００２３】
発現構造体、特に耐抗生物質、たとえば耐カナマイシン、耐ヒグロマイシン、耐ゲンタミシン、耐ブレオマイシン、等の一部としてマーカーを有することによって、機能形で該構造体を保持しているこれらの植物細胞について選択することができる。二成分ベクターが用いられ、そしてアグロバクテリアムのＴｉ−又はＲｉ−プラスミド中のＴ−ＤＮＡが腫瘍遺伝子を保持する場合、腫瘍遺伝子の発現を欠く、形態学的に正常な細胞について選択することができるであろう。
エレクトロポレーション又はマイクロインジェクションが使用される場合、瘤（ｇａｌｌ）形成についての関心は存在せず、そして得られた植物の形態（但し、変性された表現型を除く）が正常であろうと思われる。
【００２４】
アンチ−センス鎖の使用の例は、トマトにおけるポリガラクツロナーゼの発現の調節である。ポリガラクツロナーゼの産生を減じる能力は、トマト植物の固形含有量に対して陽性の効果を有し、そしてトマトプロセシングを改良することができる。
トマト果実中にポリガラクツロナーゼの発現を調節するために、転写されたポリガラクツロナーゼ遺伝子のアンチ−センス鎖を有する転写構造体が調製される。フランキング領域を含む完全な遺伝子は使用される必要はなく、便利にはｃＤＮＡ又はそのフラグメントが使用され得る。そのフラグメントは、約１００〜２０００nt、より普通には、１５０〜１０００ntであろう。
【００２５】
転写開始調節領域は、好ましくは誘導的であり、果実ブレーキング（成熟のすぐ前）の時で、構成的であるよりはむしろ特に活性的である。この目的のために、ポリガラクツロナーゼ遺伝子の転写開始領域が用いられ、又はもう１つの遺伝子の転写開始領域が成熟の間、果実の成長に関連する。
転写カセットの構成方法は、本明細書においてはくり返される必要はない。構造体が調製された後、それは、従来の方法に従ってトマト植物の細胞中に導入され、そして植物がその細胞から再生される。
【００２６】
【実施例】
次の例は、例示的であって限的するものではない。
例１：
Ａｒｏ  Ａ  アンチ−センス
材料及び方法
Ｔ４リガーゼは、ＰｒｏＭｅｇａ  Ｂｉｏｔｅｃｈから得た。制限酵素、すなわちクレノウポリマラーゼフラグメント及びＢａｌ３１を、Ｂｅｔｈｅｓｄａ  Ｒｅｓｏａｒｃｈ  Ｌａｂｏｒａｔｏｒｉｅｓ（ＢＲＬ）から得た。
【００２７】
オクトピンカセット、ｐＣＧＮ４５１の構成
ｏｃｓ５′−ｏｃｓ３′カセットを、ｐＵＣ８〔Ｖｉｅｉｒａ  ａｎｄ  Ｍｅｓｓｉｎｇ，Ｇｅｎｅ（１９８２）１９：２５９〜２６８〕の誘導体中に挿入し、ここでＸｈｏＩリンカー（CCTCGAGG）が、ＤＮＡポリマラーゼのクレノウフラグメントによりフィルインすることによって除去されたＨｉｎｄII部位及びＥｃｏＲＩ部位で挿入された。
【００２８】
切除されたＢａｍＨＩ（１３７７４）〜ＥｃｏＲＩ（リンカー）フラグメントにＴ−ＤＮＡボーダーを含む、オクトピンＴｉ−プラスミドｐＴｉＡ６〔Ｃｕｒｒｉｅｒ  ａｎｄ  Ｎｅｓｔｅｒ（１９７６）Ｊ．Ｂａｃｔ．１２６：１５７〜１６５；Ｔｈｏｍａｓｈｏｗなど、Ｃｅｌｌ（１９８０）１９：７２９〜７３９〕からのＸｈｏＩ（１５２０８）−ＢａｍＨＩ（１３７７４）フラグメントを連結することによって、オクトピンシンテターゼカセットを、調製した〔密接に関連したＴｉ−プラスミドｐＴｉ１５９５５のための番号は、ＢａｒＲｅｒ、など、Ｐｌａｎｔ  Ｍｏｌ．Ｂｉｏｌ．（１９８３）２：３３５〜３５０によってである〕。
【００２９】
ＸｍｎＩ（１３５１２）によりｐＴｉＡ６のＴ−領域のＥｃｏＲＩ（１３３６２）〜ＢａｍＨＩ（１３７７４）サブクローンを消化し、次にＢａｌ３１エンドヌクレアーゼにより再切除することによって切除されたＢａｍＨＩ−ＥｃｏＲＩフラグメントを得た。ＥｃｏＲＩリンカー（GGAATTCC）を添加し、そしておよそ１３０bpゲルのＥｃｏＲＩ〜ＢａｍＨＩフラグメントを、精製し、Ｍ１３ｍｐ９中にクローン化し、そして配列決定した。ＥｃｏＲＩリンカーが転写開始点と翻訳開始コドンとの間の１３６４２で挿入されたクローンを、ｄｅ  Ｇｒｅｖｅなど、Ｊ．Ｍｏｌ．Ａｐｐｌ．Ｇｅｎｅｔ．（１９８２）１：４９９〜５１２の配列と比較することによって同定した。
【００３０】
ＥｃｏＲＩ切断部位は、ｍＲＮＡ出発部位から下流の位置１３６３９であった。１１２０７でのＳｍａＩ部位を、オリゴヌクレオチドリンカー（CCTCGAGG）を用いてＸｈｏＩ部位に転換し、そしてＥｃｏＲＩ（１２８２３）〜該転換されたＸｈｏＩ部位のオクトピン遺伝子の３′末端をカセットに添加した。次に、オクトピンシンテターゼの５′−領域（１５２０８〜１３６３９）及び３′−領域（１２８２３〜１１２０７）を有する得られた発現カセットを、変性されたｐＵＣ８のＸｈｏＩ部位に挿入し、ｐＣＧＮ４５１を提供した。
【００３１】
ａｒｏＡ  センス／アンチ−センスの二成分プラスミドの構成
ｐＰＭＧ３８〔Ｃｏｍａｉなど、Ｎａｔｕｒｅ（１９８５）３１７：７４１〜７４４〕をＢａｍＨＩにより消化し、ａｒｏＡ遺伝子〔ヌクレオチド１３７７〜１２７０４；ｓｔａｌｋｅｒなど、Ｊ．Ｂｉｏｌ．Ｃｈｅｍ．（１９８５）２６０：４７２４〜４７２８〕を含むフラグメントを得、そして該フラグメントを、ｍａｓプロモーターに関してアンチ−センス（マイナスの方向）でｍａｓ５′〜ｏｃｓ３′カセット、すなわちｐＣＧＮ４６〔Ｃｏｍａｉなど、Ｎａｔｕｒｅ（１９８５）３１７：７４１〜７４４〕のＢａｍＨＩ部位に挿入し、ｐＣＧＮ９６４６を得た。
ＥｃｏＲＩによるｐＣＧＮ４５１の消化によりプラスミドｐＰＭＧ４５（ｏｃｓ−ａｒｏＡ）を得た後、上記と同じａｒｏＡ遺伝子を、ｐＰＭＧ３８からのＥｃｏＲＩフラグメントとして、オクトピンカセットのｐＣＧＮ４５１に挿入した。
【００３２】
ｐＡＣＹ１８０〔Ｃｈａｎｇ  ａｎｄ  Ｃｏｈｅｎ，Ｊ．Ｂａｃｔ．（１９７８）１３４：１１４１〜１１５６〕の大ＨｉｎｄIII −ＢａｍＨＩフラグメントとＴｎ５〔Ｊｏｒｇｅｎｓｅｎなど、Ｍｏｌｅｃ．Ｇｅｎ．Ｇｅｎｅｔ．（１９７９）１７７：６５〜７２〕からの耐カナマイシン細菌遺伝子のＨｉｎｄIII −ＢａｍＨＩフラグメントとを組み合せることからｐＣＧＮ５２５を得た。ｐＰＭＧ４５のＸｈｏＩフラグメントを、ｐＣＧＮ５２５のＳａｌＩ部位に挿入し、ｐＣＧＮ９６３を得た。ｐＣＧＮ９６３のＨｉｎｄIII 部位を、ＸｈｏＩリンカー（CCTCGAGG）と交換し、そしてｍａｓ−アンチ−センスａｒｏＡ構造体を含む、ｐＣＧＮ９６４からのＸｈｏＩフラグメントを、新しいＸｈｏＩ部位に挿入した。センス及びアンチ−センスａｒｏＡ遺伝子の両者を含むこのプラスミドは、ｐＣＧＮ９６５である。
二成分ベクター、ｐＣＧＮ９７８を、ＢｇｌIIによる消化の後、ｐＣＧＮ９６５とｐＲＫ２９０〔Ｄｉｔｔａなど、Ｎｒｏｃ．Ｎａｔｌ．Ａｃａｄ．Ｓｃｉ．ＵＳＡ（１９８０）７７：７３４７〜７３５１〕とを連結することによって構成した。
【００３３】
ｐＰＭＧ５４、すなちわａｒｏＡセンスプラスミドの構成
ｐＰＭＧ４５からのａｒｏＡ遺伝子を、ＸｈｏＩフラグメントとして、ＳａｌＩにより消化されたｐＣＧＮ５１７に挿入し、ｐＰＭＧ５４を得た。ｐＣＧＮ５１７は、ＰｓｔＩ部位で挿入されたｐＵＣ５Ｋ〔Ｖｉｅｉｒａ  ａｎｄ  Ｍｅｓｓｉｎｇ．Ｇｅｎｅ（１９８２）１９：２５９〜２６８〕からの、Ｔｎ９０３の耐カナマイシン遺伝子を有するｐＨＣ７９〔Ｈｏｈｎ  ａｎｄ  Ｃｏｌｌｉｎｓ，Ｇｅｎｅ（１９８０）１１：２９１〜２９８〕から調製される。
【００３４】
アグロバクテリアム  ツメファシエンスへの接合及び瘤形成
ｐＣＧＮ９７８及びｐＰＭＧ５４を、Ａ．ツメファシエンス株Ｋ１２｛菌株Ｋ１２は、菌株Ａ１１４（ＮＴＩ）〔Ｓｃｉａｋｙなど、Ｐｌａｓｍｉｄ（１９７８）１：２３８〜２５３〕中にｐＴｉＡ６を形質転換することによって得られた｝及びｐＲＫ２０７３〔Ｌｅｏｎｇなど、Ｊ．Ｂｉｏｌ．Ｃｈｅｍ．（１９８２）２５７：８７２４〜８７３０〕と共にそれぞれプレート接合した。そのプレート接合法は、Ｃｏｍａｉなど、Ｐｌａｓｍｉｄ（１９８３）１０：２１〜３０によって記載されている。
【００３５】
ｐＣＧＮ９７８を担持するアグロバクテリアムを、２００μｇ／mlストレプトマイシン及び５０μｇ／mlカラマイシンを添加されたＡＢプレート〔Ｃｈｉｌｔｏｎなど、Ｐｒｏｃ．Ｎａｔｌ．Ａｃａｄ．Ｓｃｉ．ＵＳＡ（１９７４）７１：３６７２〜３６７６〕上で選択し、そしてｐＣＧＮ９７８の存在をサザン分析によって確かめた。Ｋ１２のＴ−ＤＮＡ中に組込まれた、ｐＧＭＧ５４を有する組換え体を、１００μｇ／mlカナマイシンを添加されたＡＢプレート上で選択し、そしてサザン分析によって確かめた。
【００３６】
ｐＣＧＮ９７８×Ｋ１２及びｐＰＭＢ５４×Ｋ１２の溶液｛ＭＧ／Ｌブイヨン〔Ｇａｒｆｉｎｋｅｌ及びＮｅｓｔｅｒ，Ｊ．Ｂａｃｔｅｒｉｏｌ．（１９８０）１９４：７３２〜７４３〕中、約１０9 細菌／ml｝中に含浸されたツマヨウジにより葉を傷つけることによって、  瘤を３〜４ヵ月のカランチョ（Ｋａｌａｎｃｈｏｅ）植物上に誘導した。瘤材料を、４週間後、それぞれの構造体のために４種の植物から収穫し、そして使用まで−７０℃で冷凍した。その  瘤材料をそれぞれの構造体のためにランダム化し、そしてウェスターン分析によってａｒｏＡタンパク質について分析した。
【００３７】
ウェスターン分析を、次のようにして行なった：２．３ｇのｐＰＭＢ５４×Ｋ１２及び３．０ｇのｐＣＧＮ９７８×Ｋ１２の  瘤組織を、液体窒素中で錬磨した。ポリビニルピロリドン０．３ｇ当り組織１ｇを添加した。その組織を、０．１Ｍクエン酸ナトリウム、pH５．６，１０mMのＥＤＴＡ，０．１５ＭのＮａＣｌ，０．０５％  Ｎｏｒｉｄｅｔ  Ｐ−４０，２５mg／mlウシ血清アルブミン（ＢＳＡ）、１mMジオトレイトール、１mMフェニルメチルスルホニルフルオリド（ＰＭＳＦ）、１０μＭロイペプチン（Ｓｉｇｍａ）及び１０mMチオ尿素を含む溶液１．５ml当り１ｇの組織の割合で懸濁した。
【００３８】
その均質物を、４℃で１５分間、１５，０００ｇで遠心分離した。ウサギ中に精製された３−エノールピルビルシキメートホスフェート（ＥＰＳＰ）シンテターゼをウサギに注射することによって調製された、抗血清２５μｌ及びＳ．アウレウス（Ｓ．ａｕｒｅｎｓ）（Ｃａｌｂｉｏｃｈｅｍ）の１０％（Ｗ／Ｖ）懸濁液１２５μｌを、それぞれの上清液に添加し、そして室温で１時間攪拌しながらインキュベートした。
【００３９】
次に、サンプルを遠心分離にかけ（５０００×ｇ，５分）、そしてそのペレットを、５０mMのＴｒｉｓ（pH７．５），１mMのＥＤＴＡ，０．５ＭのＮａＣｌ及び０．０５％  Ｈｏｎｉｄｅｔ  Ｐ−４０を含む溶液により２度洗浄した。その得られたペレットを、０．１２５ＭのＴｒｉｓ，pH６．８，４％  ＳＤＳ，２０％グリセロール及び１０％  ２−メルカプトエタノール溶液１００μｌ中に懸濁し、そして９０℃で２分間、加熱した。次に、完全なサンプルを１０％アクリルアミドゲル上で電気泳動処理した。分解されたペプチドを、Ｂｕｒｎｅｔｔｅ．Ａｒａｌ．Ｂｉｏｃｈｅｍ．（１９８１）１１２：１９５〜２０３によって記載されているようなヒトロセルロース（ＢＡ  ８５  Ｓｃｈｌｅｉｃｈｅｒ  ａｎｄ  Ｓｃｈｕｅｌｌ）に、Ｈｏｅｆｅｒ  ＴＥ４２トランスファーユニット中において１００Ｖで３時間にわたって移した。
【００４０】
次に、ニトロセルロースフィルターを、ＢＬＯＴＴＯ（２０mMのＴｒｉｓ，pH７．５、脱水された５％脱脂乳、０．５ＭのＮａＣｌ，０．１％消泡剤Ａ，１０mMアシ化ナトリウム）中において室温で１時間インキュベートし、次に、抗−ＥＰＳＰシンテターゼ血清の１：５０希釈液を含むＢＬＯＴＴＯ中において４℃で１晩インキュベートした。フィルターを、２０mMのＴｒｉｓ，pH７．５及び１５０mMのＮａＣｌ溶液中で１０分間、０．０５％  Ｔｗｅｅｎ−２０を含む同じ緩衝液中で２０分間及び界面活性剤を含まない緩衝液中でさらに１０分間、洗浄した。
【００４１】
次に、 125ＩによりラベルされたプロテインＡ（９μCi／mg；ＮＥＮ）の１０6  cpm／mlを含むＢＬＯＴＴＯを、フィルターに添加し、そして室温で２時間インキュベートした。そのフィルターを、５０mMのＴｒｉｓ，pH７．５，１ＭのＮａＣｌ及び０．４％ラウリルサルコシン溶液中で１晩、室温で洗浄し、そして次に、５０mMのＴｒｉｓ，pH７．５，５mMのＥＤＴＡ，１５０mMのＮａＣｌ，０．５％  Ｔｒｉｔｏｎ  Ｘ−１００及び０．１％  ＳＤＳ溶液中で３時間、室温で洗浄した。すすぎ、そして乾燥せしめた後、フィルターを、増強スクリーンを有するＤｕＰｏｎｔ  Ｌｉｇａｔｎｉｎｇを用いて、−７０℃でＫｏｄａｋ  Ｘ−線フィルムに照射した。
【００４２】
ｐＣＧＮ９７８を含む瘤は、対照のｐＰＭＧ５４  瘤の１０〜２０％活性のみを示した。組込まれたシステム対二成分システムにおけるａｒｏＡの発現の初期比較は、二成分システムが組込まれたシステムの７０〜８０％のみ有効であることを示した。従って、アンチ−センス構造体がまた、存在する場合、６０％のａｒｏＡ活性の全減少が観察される。
【００４３】
エレクトロポレーション実験のプラスミド構造体についての実験
アンチ−センス５′ｍａｓ−ａｒｏＡ（３′から５′の方向）−３′ｏｃｓ構造体、すなわちｐＣＧＮ９６４ｂを、上記のようにして構成した。センス５′ｍａｓ−ａｒｏＡ（５′から３′の方向）−３′ｏｃｓ構造体、すなわちｐＣＧＮ９６４ａを、同じ結合から得、そしてそのセンスの方向を選択した。
【００４４】
植物材料
プロトプラスト供与体植物のニコチアナ・タバカムｃｖ．キサンチ（Ｎｉｃｏｔｉａｎａ ｔａｂａｃｕｍ  ｃｖ．Ｘａｎｔｈｉ）を、（Ｆａｃｃｉｏｔｉ  ａｎｄ  Ｐｉｌｅｔ，１９７９）に記載されているように、無菌条件下でガラスジャーの中で増殖せしめた。頂端のシュートを、０．７％  Ｇｉｂｃｏ  Ｐｈｙｔａｇａｒ，３０ｇ／ｌスクロース、１．０mg／ｌ  ＩＡＡ及び０．１５mg／ｌＫｉｎｅｔｉｎを含む寒天培地〔Ｍｕｒａｓａｈｉｇｅ  ａｎｄ  ＳＫｏｏｇ（ＭＳ）培地〕１００ml中に置いた（オートクレーブする前にpHを５．５５に調節する）。その培養物を、暗／明レジム下で１２時間、２３±２℃で保持した。
【００４５】
次の段階を、消毒された溶液により無菌条件下で行なった。
若葉を、光合成サイクルの暗反応を間に、４〜５週の植物から除去した。主脈を捨て、そして残る葉組織を、縦に１度切った。これらの葉断片を、０．４％ペクチナーゼ（Ｐｅｃｔｏｌｙａｓｅ  Ｙ−２３，Ｓｅｉｓｈｉｎ  Ｐｈａｒｍａｃｅｕｔｉｃａｌ  Ｃｏ．Ｌｔｄ．、日本）及び０．６％セルラーゼ（Ｏｎｏｚｕｋａ  ＲＳ，Ｙａｋｕｌｔ  Ｐｈａｒｍａｃｅｕｔｉｃａｌ  Ｉｎｄｕｓｔｒｙ  Ｃｏ．Ｌｔｄ．、日本）を含む６％ソルビトール溶液により浸透せしめた（２００ミリトルへ）。２〜３時間のインキュベーションの後、その単離物を、ピペットで静かに取り、プロトプラストを放し、そして５２μのナイロンフィルターを通した。
【００４６】
そのプロトプラストを、５０xgで遠心分離にかけることによってペレット化し、そして７％ソルビトール溶液により２度洗浄した。プロトプラストの密度を、血球計数器〔１mm2 区画のグリッドを用いて、計数された区画の平均（Ｘ１０4 ）は、１ml当りのプロトプラストの合計数の推定値を与える〕の使用によって決定した。計算された密度に基づいて、プロトプラストを、緩衝液（１０mMのＨｅｐｅｓ，pH７．１，１４０mMのＮａＣｌ，５mMのＣａＣｌ2 及び６％ソルビトールを含む）中、２．２〜３．０ミリオン／mlの最終密度で懸濁した。
【００４７】
エレクトロポレーション
緩衝液中に懸濁されたプロトプラストを、１mlアリコートに分けた。おのおののアリコートに、キャリアーＤＮＡ（ニシンの精子ＤＮＡの形で）１mgを添加した。キャリアーＤＮＡの添加の後、プラスミドＤＮＡを目的とする濃度で添加した。そのプロトプラスト／ＤＮＡ混合物を、エレクトロポレーションの前、５分間インキュベートし、そして続いて、エレクトロポレーションのために、アルミニウム箔によりライニングされた、１mlのプラスチックキュベットに移した。
【００４８】
そのエレクトロポレーションパルスは、１５０ボルトに荷電された１２５０μＦコンデンサーによって得られた。パルス期間を、プロトプラストを欠いている緩衝溶液を通して測定し、そしてそれは４０ｍ−秒であることが見出された。エレクトロポレーションの後、プロトプラストを、室温で１０分間、キュベット中でインキュベートし、そして続いて、１０mlのプロトプラスト培養培地（０．６mg／ｌのＮＡＡ，０．２mg／ｌの２，４−Ｄ，０．８mg／ｌのＫｉｎｅｔｉｎ，５．５％ソルビトール及び３０ｇ／ｌのスクロースを含むＭＳ塩）により希釈されたペトリ皿に移し、そして完全な暗の中で２３±２℃で培養した。
【００４９】
４８〜５０時間後、プロトプラストを、静かに遠心分離することによって収穫し、上清液を除去し、そしてプロトプラストを液体窒素により凍結し、そして−７０℃で保存した。その凍結されたプロトプラストペレットを、ウェスターン分析のために抽出緩衝液（０．１Ｍのクエン酸ナトリウム、１０mMのＥＤＴＡ，１５０mMのＮａＣｌ，０．０５％  Ｎｏｎｉｄｅｔ，２５mg／mlのＢＳＡ，１mMのＰＭＳＦ，１０mMのＤＴＴ，１０mMのチオ尿素及び１０μＭのロイペプチンを含む）１ml中に懸濁した。０．０５ｇ／mlのポリビニルピロリドン（Ｐｏｌｙ  ＣｌａｒＡＴ，ＢＤＨ）を添加し、そしてその混合物を、Ｐｏｌｙｔｒｏｎホモナイザーで３０秒間、錬磨した。その上清液を集め、そしてウェスターン分析を上記のようにして行なった。
【００５０】
実験
実験処理は、ｐＣＧＮ９６４ａ及びｐＣＧＮ９６４ｂ（詳しいそれぞれの構造体のためのプラスミド構成に基づくセクションを参照のこと）を使用した。それぞれの実験においては、９６４ａ及び９６４ｂの両者を含む処置を９６４ａ又は９６４ｂのみを含む処置と比較した：
【００５１】
【表１】
0003670889.tif 000002
【００５２】
すべての場合において、アンチ−センスＤＮＡ（９６４ｂ）の添加が、ウェスターン分析によって検出されたタンパク質レベルを減じた（９６４ａのみにより得られたレベルと比較して）。平均５０％のレベルの減少があった。タンパク質は、予定通り、９６４ｂのみにおいては検出されなかった。
【００５３】
例２：
ポリガラクツロナーゼ  アンチ−センス構造体
細菌株
【表２】
0003670889.tif 000003
【００５４】
酵素及び放射性同位体
すべての酵素は、市販源から得られ、そして製造業者の提案に従って使用された。放射性同位体は、ニューイングランド  ニュークリアーから得られた。
Ｐｏｌｙ（Ａ）＋ＲＮＡの単離
トマトｃｖ．ＣａｌｉＧｒａｎｄｅの成熟した果実を収穫し、そして液体窒素中で凍結した。凍結された組織を、液体窒素中でモーター及びペストルにより粉砕し、そしてその得られた粉末を、Ｆａｃｃｉｏｔｔｉなど、Ｂｉｏ／Ｔｅｃｈｎｏｌｏｇｙ（１９８０）３：２４１〜２４６によって記載された、緩衝液中Ｂｒｉｎｋｍａｎポリトロンにより均質化することによって抽出した。全ＲＮＡを、Ｃｏｌｂｅｒｔなど、Ｐｒｏｃ．Ｎａｔｌ．Ａｃａｄ．Ｓｃｉ．ＵＳＡ（１９８３）８０：２２４８〜２２５２によって記載されているようにして調製した。
【００５５】
多糖類を、４０mM酢酸ナトリウム及び０．５エタノールにより全ＲＮＡ調製物から沈澱せしめた〔Ｍａｎｓｓｏｎなど、Ｍｏｌ．Ｇｅｎ．Ｇｅｎｅｔ．（１９８５）２００：３５６〜３６１〕。Ｐｏｌｙ（Ａ）＋ＲＮＡを、〔Ｍａｎｉａｔｉｓなど、（１９８２）Ｍｏｌｅｃｕｌａｒ  Ｃｌｏｎｉｎｇ：Ａ  Ｌａｂｏｒａｔｏｒｙ  Ｍａｎｕａｌ，Ｃｏｌｄ  Ｓｐｒｉｎｇ  Ｈａｒｂｏｒ，Ｎｅｗ  Ｙｏｒｋ〕によって記載されているようにして単離した。
【００５６】
ｃＤＮＡの合成
ｐｏｌｙ（Ａ）＋ＲＮＡからの合成を、Ｇｕｂｌｅｒ  ａｎｄ  Ｈｏｆｆｍａｎ，Ｇｅｎｅ（１９８３）２５：２６３〜２６９によって記載しているようにして、次の変法により行なった：第１鎖の合成のための反応混合物は、１mMのｄＧＴＰ，１mMのｄＡＴＰ，１mMのＴＴＰ，０．５mMのｄＣＴＰ，０．５ユニット／μｌのＲＮａｓｉｎ（Ｐｒｏｍｅｇａ），４μｇのトマトｐｏｌｙ（Ａ）＋ＲＮＡ、及び８０〜１００ユニットの逆転写酵素を含んだ（Ｌｉｆｅ  Ｓｃｉｅｎｃｅｓ）。その反応を、５００mMのＥＤＴＡ  ２μｌにより停止し、次に、ｔＲＮＡ  １０μｇ，１vol の４Ｍ  ＮＨ4 ＯＡｃ及び２．５vol のエタノールによりドライアイス上で１晩沈澱せしめた。
第２鎖の合成を、およそ５００ngの第１鎖反応生成物から行なった。第１及び第２鎖反応混合物のアリコートを、別々にそれぞれの反応をモニターするために、２０μCiの５′−〔α−32Ｐ〕ｄＣＴＰによりそれぞれ放射性ラベル化した。
【００５７】
λｇｔ１１における二重鎖ｃＤＮＡのクローニング
二重鎖ｃＤＮＡを、製造業者（Ｎｅｗ  Ｅｎｇｌａｎｄ  Ｂｉｏｌａｂｓ）によって記載されているようにしてＥｃｏＲＩによりメチル化した。エタノールによる沈殿の後、そのｃＤＮＡ末端を、次の条件（６６mMのＴｒｉｓ−ＨＣｌ，pH７．５，２０mMのＭｇＣｌ2 ，１００mMのジチオトレイトール、１００μＭのｄＧＴＰ，ｄＡＴＰ，ＴＴＰ及びｄＣＴＰ、室温で１時間）下でＤＮＡポリマラーゼＩのクレノウフラグメントの３ユニットを用いて、平滑化した。次に、そのＤＮＡを、エタノールにより沈殿せしめた。
【００５８】
平滑化した後、ＥｃｏＲＩによりリン酸化されたリンカー２μｇを、リガーゼ緩衝液（５０mMのＴｒｉｓ，pH７．５，１０mMのＭｇＣｌ2 ，２０mMのジチオトレイトール、１mMのＡＴＰ及び５mg／mlのウシ血清アルブミン）１０μｌ中、ｃＤＮＡに添加した。Ｔ4 ＤＮＡリガーゼ（１Ｗｅｉｓｓユニット、Ｗｅｉｓｓ．Ｊ．Ｂｉｏｃｈｅｍ．（１９６８）２４３：４３４３，Ｐｒｏｍｅｇａ）を添加し、そして１５℃で６時間、インキュベートした。次に、リガーゼ緩衝液１０μｌ中、Ｔ4 ＤＮＡリガーゼ（さらに、１Ｗｅｉｓｓユニット）を添加し、そして１５〜１９℃で２４時間、インキュベートした。
【００５９】
その反応を、フェノールにより抽出し、エタノールにより沈殿せしめ、そして６〜８時間にわたって１００ユニットのＥｃｏＲＩ（Ｎｅｗ  Ｅｎｇｌａｎｄ  Ｂｉｏｌａｂｓ）により消化し、フェノールにより抽出し、そしてエタノールにより沈殿せしめた。過剰のリンカー及び５００塩基対よりも少ないｃＤＮＡを、Ｂｉｏ−ｇｅｌ  Ａ−５０ｍ（１００〜２００メッシュ）上でクロマトグラフィー処理することによって除去し、そして分別されたｃＤＮＡを、Ｈｕｙｎｈなど（ＤＮＡクローニング：Ａ  Ｐｒａｃｔｉｃａｌ  Ａｐｐｒｏａｃｈ，Ｄ．Ｍ．Ｇｌｏｖｅｒ，４９〜７８ページ、ＩＲＬ  Ｐｒｅｓｓ，Ｏｘｆｏｒｄ，Ｅｎｇｌａｎｄ，１９８５）によって記載されているようにしてＥｃｏＲＩにより切断されたλｇｔ１１ベクターＤＮＡ（Ｓｔａｔａｇｅｎｅ）に連結した。
【００６０】
イン−ビトロでのパッキング反応を、Ｖｅｎｄｏｒによって記載されているようにしてＧｉｇａパック抽出物（Ｓｔｒａｔａｇｅｎｅ）と共に行なった。最初の試験連結及びイン−ビトロパッキングを、種々のｃＤＮＡの希釈度を用いて行ない、組換え体ファージの調製のためのｃＤＮＡ／ベクターの最適割合を実験的に決定した。Ｈｕｙｎｈなど、前記（１９８５）によって記載されているようにして、イソプロピル−１−チオ−β−Ｄ−ガラクトシド（ＩＰＴＧ）及び５−ブロモ−４−クロロ−３−インドリル−β−Ｄ−ガラクトシド（Ｘ−ｇａｌ）の存在下で、パックされたλｇｔ１１ファージを、Ｅ．コリＹ１０８８上にプレートし、組換え体の数を決定した。９０％の挿入割合で、５×１０6 よりも多い組換え体を、λｇｔ１１中に得た。
【００６１】
ライブラリィのスクリーニング
増幅されていないλｇｔ１１ライブラリィからのおよそ２００，０００ファージを、Ｈｕｙｎｈなど、（１９８５）によって記載されてるいようにして、宿主としてＥ．コリＹ１０９０を用いて、９cm2 プレート当り２０，０００のプラーク形成単位の密度でスクリーンした。但し、ＮＺＹ培地〔１ｌ当り、ＮａＣｌ  ５ｇ，ＭｇＣｌ2 ２ｇ，１０ｇのＮＺａｍｉｎｅタイプＡ（ＳｈｅｆｆｉｅｌｄＰｒｏｄｕｃｔｓ）、酵母抽出物５ｇ及び寒天１５ｇ〕を使用した。プレートをインキュベートし、そしてＨｕｙｎｈなど、（１９８５）、前記によって記載されているようにして、ＩＰＴＧを含むニトロセルロース  シートによりおおった。
【００６２】
そのニトロセルロース  シートは、０．５ＭのＴｒｉｓ（pH８．０），０．１５ＭのＮａＣｌ，０．０２％  ＮａＮ3 ，０．１％  Ｔｒｉｔｏｎ  Ｘ−１００及び５％脱脂粉乳溶液により飽和され、次に、１：１０００に希釈された抗−ポリガラクツロナーゼ２抗体（下記参照のこと）を含む同じ緩衝液と共に室温で３０分間、インキュベートされた。結合された抗体を、Ｖｅｎｄｏｒによって記載されるようにしてアルカリホスファターゼにより接合された第２抗体（Ｐｒｏｍｅｇａ）により検出した。陽性のプラークを、連続プレーティングによって精製し、そしてファージＤＮＡを、Ｍａｒｉａｔｉｓなど（１９８２）によって記載されているようにして調製した。
【００６３】
ｃＤＮＡ挿入体Ｐ１のサブクローニング及び配列決定
陽性のプラークＰ１からのファージＤＮＡを、ＥｃｏＲＩにより消化し、そして得られたフラグメントを、イン−ビトロでの結合によってＥｃｏＲＩにより消化されたベクターＭ１３  Ｂｌｕｅ  Ｓｃｒｉｂｅ  Ｍｉｎｕｓ（Ｓｔｒａｔａｇｅｎｅ）にサブクローンした。初めのＤＮＡ配列決定を、製造業者によって記載しているようにして調製されたＢｌｕｅ  Ｓｃｉｂｅ構造体からの一重鎖鋳型を用いて行なった。すべてのＤＮＡ配列決定を、Ｓａｎｇｅｒなど．、Ｐｒｏｃ．Ｎａｔｌ．Ａｃａｄ．Ｓｃｉ．ＵＳＡ（１９７７）７４：５４６３又はＭａｘａｍ  ａｎｄ  Ｇｉｌｂｅｒｔ，Ｍｅｔｈｏｄｓ  Ｅｎｚｙｍｏｌ．（１９８０）６５：４９９〜５８０によって記載されているようにして行なった。
【００６４】
Ｂｌｕｅ  Ｓｃｉｂｅ構造体からのＢａｍＨＩ−ＥｃｏＲＩ，ＨｉｎｄIII −ＥｃｏＲＩ及びＢａｍＨＩ−ＨｉｎｄIII フラグメント（Ｍａｒｉａｔｉｓなど．、前記）を、Ｍ１３  ｍｐ１８〔Ｙａｎｉｓｃｈ−Ｐｅｒｒｏｎなど、Ｇｅｎｅ（１９８５）５３：１０３〜１１９〕及びＭ１３  ｍｐ１９〔Ｎｏｒｒａｎｄｅｒなど、Ｇｅｎｅ（１９８３）２６：１０１〜１０６〕中にサブクローニングすることによって、オーバラップ配列を得た。
【００６５】
タンパク質配列決定のためのポリガラクツロナーゼの精製
細胞壁に結合された全タンパク質を、Ｃｒｏｏｋｅｓ  ａｎｄ  Ｇｒｉｅｒｓｏｎ，Ｐｌａｎｔ  Ｐｈｙｓｉｏｌ．（１９８３）７２：１０８８〜１０９３によって記載しているようにして、ｃｖ．Ｃａｌｉ  Ｇｒａｎｄｅの成熟果実から調製した。その抽出物を、０．０２５Ｍのエタノールアミン溶液（pH９．４）に対して透析し、そして０．０２５Ｍのエタノールアミン溶液（pH９．４）により平衡化された、９×３００mmカラムのクロマトフォーカシングエクスチェンジャーＰＢＥ９４（Ｐｈａｒｍａｃｉａ）にかけた。結合されたタンパク質を、Ｐｏｌｙｂｕｆｆｅｒ９６（pH８．０）（Ｐｈａｒｍａｃｉａ）により溶離した。
【００６６】
ポリガラクツロナーゼを含む画分をプールし、そして硫酸アンモニウム（９０％飽和）により沈殿せしめ、そしてさらに、ヒドロキシアパタイト（ＨＡＰＴ）ＨＰＬＣカラムを通してクロマトグラフィー処理することによって分別した。２mlの体積を、カラム上に入れ、そして１０mM〜３５０mMのリン酸ナトリウム溶液（pH６．８）の直線グラジェントを用いて１ml／分の速度でクロマトグラフィー処理した。サンプルを、Ａ２８０でモニターし、そして０．５mlの体積に分別した。ポリガラクツロナーゼを含む多くの試験から集められた画分をプールし、そして６％酢酸に対して透析し、次に凍結乾燥せしめた。
【００６７】
タンパク質の配列決定
上記のようにして調製されたポリガラクツロナーゼを、Ｂｅｃｋｍａｎ  ８９０  Ｍ  Ｌｉｑｕｉｄ  Ｐｈａｓｅ  Ａｍｉｎｏ  Ａｃｉｄ  Ｓｅｑｕｅｎｃｅｓにより完全に配列決定した。次のＮ−末端配列：Ｇｌｙ−ｉｌｅ−ｌｙｓ−ｖａｌ−ｉｌｅ−ａｓｎが得られた。
【００６８】
抗体産生のためのポリガラクツロナーゼの精製
トマトの細胞壁に結合されたタンパク質を、Ｔｕｃｋｅｒ  ａｎｄ  Ｇｒｉｅｒｓｏｎ，Ｐｌａｎｔａ（１９８２）１５５：６４〜６７によって記載されているようにして、ｃｖ．ＵＣ８２Ｂの成熟果実から調製した。硫酸アンモニウム沈殿物からのペレットを、１５０mMのＮａＣｌ溶液に溶解し、そして同じ緩衝液に対して一晩、透析した。
次に、そのタンパク質溶液を、１０mMのＮａＣｌ及び１０mMのＴｒｉｓ（pH７．２）を含むインクラチック  グランジェントを用いるＴＳＫ３０００／２０００ＨＰＬＣサイズカラム上で、０．５ml／分の流速で分別した。
【００６９】
ポリガラクツロナーゼ活性〔Ｒｅｉｓｆｅｌｄなど、Ｎａｔｕｒｅ（１９６２）１９５：２８１〜２８３〕を含むＴＳＫ画分をプールし、そして１０mM〜３５０mMのリン酸ナトリウム溶液（pH６．８）の直線グランジェントを用いるヒドロキシアパタイトＨＰＬＣカラムにより１ml／分の流速でさらに分別した。ポリガラクツロナーゼ活性を含むピーク画分を集め、そしてそれを用いて、抗体産生のためにウサギに注射した。
【００７０】
追加免疫注射のためのポリガラクツロナーゼが、細胞壁に結合されたタンパク質調製物をＳＤＳポリアクリルアミドゲル上で分離することによって調製された。硫酸アンモニウムにより沈殿せしめられた材料（上記参照のこと）を、１２．５％ポリアクリルアミドを含む３mmの厚さ×１４mmの幅のゲル上で電気泳動にかけ〔Ｌａｅｍｍｌｉ，Ｎａｔｕｒｅ（１９７０）２２７：６８０〜６８５〕、そしてタンパク質を、マークシーブリリアントブルＲにより染色することによって可視化した。ポリガラクツロナーゼ  バンドに対応する領域（およそ４０，０００〜４３，０００ドルトン）を、切断し、凍結し、そして液体窒素により粉砕した。
【００７１】
抗体の調製
一匹のウサギに、１ヵ月にわたって、ポリガラクツロナーゼを４回注射した（１２５μｇの注入）。次に、同じウサギに、ＳＤＳポリアクリルアミドゲルから回収されたポリガラクツロナーゼ（およそ１５０μｇ）により追加免疫した。同じ追加免疫注射を第１回目から１週間後、行なった。そのウサギを、血清源として２週間後、採血した。
【００７２】
粗血清６mlを、０．１Ｍリン酸ナトリウム溶液（pH７．０）６mlにより希釈し、そしてプロティンＡ−セファロース（Ｓｉｇｍａ）の６mlカラムにかけた。そのカラムを、０．１Ｍリン酸ナトリウム溶液（pH７．０）８０mlにより洗浄し、そして次に、０．１Ｍグリシン溶液（pH３．０）により溶離した。Ａ２８０での最とも高い活性を有する画分をプールし、２０mMリン酸ナトリウム（pH７．６）及び１５０mMのＮａＣｌ溶液に対して透析し、そしてＡｍｉｃｏｎ  ＸＭ８０膜上で濃縮した。次に、グリセロールを添加し、４０％の最終濃度にした。
【００７３】
アフィニティークロマトグラフィーにより精製された抗血清を、Ｖｅｎｄｏｒによって記載されたようにして、Ｔｒｅｓａｃｒｙｌ（Ｐｈａｒｍａｃｉａ）アフィニティークロマトグラフィーマトリックスに結合されたポリガラクツロナーゼと共にＩｇＧ画分をインキュベートすることによって調製した。タンパク質の配列決定のために精製されたポリガラクツロナーゼを、製造業者によって記載されているようにしてＴｒｅｓａｃｒｙｌ樹脂４mlに連結した。
【００７４】
上記のようにして調製されたＩｇＧ  ５mlを、０．０１ＭのＴｒｉｓ（pH７．５），１５０mMのＮａＣｌ及び０．１％  Ｔｗｅｅｎ−２０（ＴＢＳＴ）溶液により希釈し、５０mlにし、そして４℃で一晩、前記樹脂と共にインキュベートした。次に、その樹脂をＴＢＳＴにより洗浄し、そして０．２Ｍグリシン（pH２．７５）溶液により溶離した。Ａ２８０で高い活性を有する画分をプールし、そして１０mMのＴｒｉｓ（pH８．０）及び１５０mMのＮａＣｌ溶液に対して透析した。精製された抗体の最終体積は、元の血清の１：２希釈度を示す１２mlであった。
【００７５】
結果
ポリガラクツロナーゼｃＤＮＡの同定
１２個の指定ポリガラクツロナーゼ  クローンを、上記抗体調製物との反応によってλｇｔ１１ライブラリィから同定した。２個のクローンから精製された挿入体をプローブとして用いてのノザシ法は、ｍＲＮＡをコードした１つのクローン（Ｃ３）が、ポリガラクツロナーゼｍＲＮＡのために予期される方法及びサイズで、トマトの発育の間、発現されることを示した。
【００７６】
ポリガラクツロナーゼをコードする、さらに推定のｃＤＮＡクローンを同定するために、ファージＤＮＡを残る１０個のクローンから調製し、ＥｃｏＲＩ及びＨｉｎｄIII により消化し、そしてプローブとしてクローンＣ３挿入体を用いて、サザン法（Ｍａｎｉａｔｉｓなど．、前記）にゆだねた。さらにｃＤＮＡクローン（Ｐ１）をＣ３にクロスハイブリダイズし、そしてさらに、特徴化し、アンチ−センス発現のための配列を提供した。
ポリガラクツロナーゼｃＤＮＡクローンとしてのＰ１の同定を、該ＤＮＡ配列から予測されるアミノ酸配列と実際のポリガラクツロナーゼ  タンパク質配列とを比較することによって確認した。そのクローンは、成熟したポリガラクツロナーゼ  ポリペプチドのほぼＮ−末端で始まり、そして３′非翻訳領域を含むカルボキシ末端に延長するポリガラクツロナーゼ遺伝子の一部をコードする。
【００７７】
アンチ−センス  ポリガラクツロナーゼの二成分プラスミドの構成
ファージＰ１ＤＮＡをＥｃｏＲＩにより消化し、そしてｃＤＮＡ挿入体をＥｃｏＲＩにより消化されたＭ１３  Ｂｌｎｅ  Ｓｃｒｉｂｅ  Ｍｉｎｕｓ（Ｓｔｒａｔａｇｅｎｅ）に結合し、ｐＣＧＮ１４０１を得た。
ｐＣＧＮ１４０１をＢａｍＨＩ及びＥｃｏＲＩにより消化し、ＥｃｏＲＩリンカーの７個の塩基（GAATTCC ）、ポリガラクツロナーゼ  リーダー配列（ＡＴ）の２個の塩基、成熟ポリガラクツロナーゼ  タンパク質のＮ−末端アミノ酸をコードするトリプレット（GGG ）及びＢａｍＨＩ部位までのさらに２１０個の塩基を含む２１９bpのフラグメント（図１及び図２）得た。このフラグメントを、ｍａｓ５′−ｏｃｓ３′カセット、すなわちｐＣＧＮ４６〔Ｃｏｍａｉなど、Ｎａｔｕｒｅ（１９８３）３１７：７４１〜７４４〕のユニークＢａｍＨＩ−ＥｃｏＲＩ部位に挿入した。これは、ｍａｓプロモーターへのアンチ−センス（マイナスの方向）のフラグメントの挿入をもたらし、ｐＣＧＮ４０２を得た。
【００７８】
次に、ｐＣＧＮ１４０２を、制限酵素ＸｈｏＩにより消化し、そして左及び右のボーダーの間に耐植物カナマイシン  マーカーを含む二成分プラスミドｐＣＧＮ７８３のユニークＳａｌＩ部位にクローンした。Ｅ．コリＣ２１１０中のこのプラスミドを、ポリガラクツロナーゼ  アンチ−センスカセット及び耐カナマイシン  カセットを植物宿主の遺伝子に転移することができる非武装Ｔｉプラスミドを含むアグロバクテリアム・ツメファシエン中に接合した。
使用されるアグロバクテリアム系は、Ａ．ツメファシエンＰＣ２７６０〔Ｇ．Ｏｏｍｓなど、Ｐｌａｓｍｉｄ（１９８２），Ｎａｔｕｒｅ（１９８３）３０３：１７９〜１８１；ヨーロッパ特許出願第８４−２００２３９．６号、第２４２４１８３号〕である。
【００７９】
ｐＣＧＮ７８３の構成
ｐＣＧＮ７８３は、アグロバクテリアム・ツメファシエンのオクトピンＴｉ−プラスミド、ｐＴｉＡ６〔Ｃｕｒｒｉｅｒ  ａｎｄ  Ｎｅｓｔｅｒ（１９７６）前記〕の左及び右のＴ−ＤＮＡボーダー；ｐＰＨ１ＪＩ〔Ｈｉｒｓｃｈなど、Ｐｌａｓｍｉｄ（１９８４）１２：１３９〜１４１〕の耐ゲンタマイシン遺伝子；カリフラワーモザイクウィルス（ＣａＭＶ）の３５Ｓプロモーター〔Ｇａｒｄｎｅｒなど、Ｎｕｃｌｅｉｃ  Ａｃｉｄ  Ｒｅｓ．（１９８１）９：１８７１〜１８８０〕；Ｔｎ５〔Ｊｏｒｇｅｒｓｅｎ．Ｍｏｌ．Ｇｅｎ．（１９７９）１７７：６５〕耐カナマイシン遺伝子；及びｐＴｉＡ６〔Ｃｕｒｒｉｅｒ  ａｎｄ  Ｎｅｓｔｅｒ（１９７６）前記〕の転写７からの３′領域を含む二成分プラスミドである。ｐＣＧＮ７８３の構成法は図３に概略されている。
【００８０】
ｐＣＧＮ７８９（二成分ベクター）の構成
耐ゲンタマイシン性マーカー得るために、耐性遺伝子を、ｐＰＨＩＪＩ〔Ｈｉｒｓｃｈなど、１９８４、前記〕の３．１kb  ＥｃｏＲＩ−ＰｓｔＩフラグメントから単離し、そしてｐＵＣ９〔Ｖｉｅｉｒａなど、Ｇｅｎｅ（１９８２）１９：２５９〜２６８〕中にクローン化し、ｐＣＧＮ５４９を得た。
耐カゲンタマイシン遺伝子を含むｐＣＧＮ５４９のＨｉｎｄIII −ＢａｍＨＩフラグメントを、ｐＣＧＮ５８７（構成のためには前記を参照のこと）のＨｉｎｄIII −ＢｇｌIIフラグメントと交換し、ｐＣＧＮ５９４を得た。
【００８１】
ｏｃｓ−カナマイシン−ｏｃｓフラグメントを含むｐＣＧＮ５９４のＨｉｎｄIII −ＢａｍＨＩ領域を、ｐＵＣ１８（Ｙａｎｉｓｃｈ−Ｐｅｒｒｏｏｎ，１９８５、前記）からのＨｉｎｄIII −ＢａｍＨＩポリリンカー領域と交換し、ｐＣＧＮ７３９を得た。
７２６ｃの構成（１ＡＴＧ−カナマイシン−３′領域）
ｐＣＧＮ５６６は、ｐＵＣ１３−ｃｍ（Ｋ．Ｂｕｃｋｌｅｙ，Ｐｈ．Ｄ．Ｔｈｅｓｉｓ，ＵＳ−Ｓａｎ  Ｄｉｅｇｏ，１９８５）のＥｃｏＲＩ−ＨｉｎｄIII 部位中に挿入された。ｐＵＣ１８（Ｙａｎｉｓｃｈ−Ｐｅｒｒｏｎ、前記）のＥｃｏＲＩ−ＨｉｎｄIII リンカーを含む。ＯＲＦ１及び２〔Ｂａｒｋｅｒなど、（１９８３）前記〕を含むｐＮＷ３１ｃ−８，２９−１〔Ｔｈｏｍａｓｈｏｗなど、（１９８０）ｃｅｌｌ １９：７２９〕のＨｉｎｄIII −ＢｇｌIIフラグメントを、ｐＣＧＮ５６６のＨｉｎｄIII −ＢａｍＨＩ部位中にサブクローンし、ｐＣＧＮ７０３を得た。
【００８２】
ｐＴｉＡ６｛ｐＴｉ１５９５５〔Ｂａｒｋｅｒなど、（１９８３）前記〕の塩基２３９６〜２９２０に対応する｝からの、転写７の３′領域を含むｐＣＧＮ７０３のＳａｕ３Ａフラグメントを、ｐＵＣ１８〔Ｙａｎｉｓｃｈ−Ｐｅｒｒｏｎなど、（１９８５）前記〕のＢａｍＨＩ部位中にサブクローンし、ｐＣＧＮ７０９を得た。
ｐＣＧＮ７０９のＥｃｏＲＩ−ＳｍａＩポリリンカー領域を、耐カナマイシン遺伝子（ＡＰＨ３′II）を含む、ｐＣＧＮ５８７（製造のためには前記を参照のこと）からのＥｃｏＲＩ−ＳｍａＩフラグメントと交換し、ｐＣＧＮ７２６を得た。
【００８３】
ｐＣＧＮ７２６のＥｃｏＲＩ−ＳａｌＩフラグメント＋ｐＣＧＮ７３４のＢｇｌII−ＥｃｏＲＩフラグメントを、ｐＵＣ８−ｐＵＣ１３−ｃｍ（耐クロラムフェニコール、Ｋ，Ｂｕｃｋｌｅｙ，ＰｈＤ．Ｔｌｅｓｉｓ，ＵＣ−Ｓａｍ  Ｄｉｅｇｏ，１９８５）のＢａｍＨＩ−ＳａｌＩ部位中に挿入し、ｐＣＧＮ７３８を得た。ｐＣＧＮ７３４を構成するために、塩基３３９０〜３２４１に対応する、ｐＴｉＡ６のＨｉｎｄIII −ＳｐｈＩフラグメント〔Ｂａｒｋｅｒなど、（１９８３）前記〕を、Ｍ１３  ｍｐ１９〔Ｎｏｒｒａｎｄｅｒなど、（１９８３）前記〕のＨｉｎｄIII −ＳｐｈＩ部位中にクローンした。塩基３２８７〜３３００に対応するオリゴヌクレオチドを用いて、ＤＮＡ合成を、この鋳型から開始する。
【００８４】
Ｓ１ヌクレアーゼ処理及びＨｉｎｄIII による消化の後、得られたフラグメントを、ｐＵＣ１９〔Ｙａｎｉｓｃｈ−Ｐｅｒｒｏｎなど、（１９８５）前記〕のＨｉｎｄIII −ＳｍａＩ部位中にクローンした。塩基３２８７〜３３９０〔Ｂａｒｋｅｒなど、（１９８３）前記〕に対応するその得られたＥｃｏＲＩ−ＨｉｎｄIII フラグメントを、ｐＴｉＡ６（塩基３３９０〜４４９４に対応する）のＥｃｏＲＩ−ＨｉｎｄIII フラグメントと共に、ｐＵＣ８〔Ｖｉｅｉｒａ  ａｎｄＭｅｓｓｉｎｇ（１９８２）前記〕のＥｃｏＲＩ部位にクローンし、ｐＣＧＮ７３４を得た。
ｐＣＧＮ７２６ｃを、９００bpのＥｃｏＲＩ−ＥｃｏＲＩフラグメントを欠失することによってｐＣＧＮ７３８から得た。
【００８５】
ｐＣＧＮ７６６ｃの構成（３５Ｓプロモーター−３′領域）
ＣａＭＶ−３５Ｓプロモーター、１ＡＴＧ−カナマイシン遺伝子及びｐＴｉＡ６のＢａｍＨＩフラグメント１９を含む、ｐＣＧＮ１６７（構成のためには前記を参照のこと）のＨｉｎｄIII −ＢａｍＨＩフラグメントを、ｐＵＣ１９〔Ｎｏｒｒａｎｄｅｒなど、（１９８３）前記；Ｙａｎｉｓｃｈ−Ｐｅｒｒｏｎなど、（１９８５）前記〕のＢａｍＨＩ−ＨｉｎｄIII 部位にクローンし、ｐＣＧＮ９７６を得た。
【００８６】
ｐＣＧＮ９７６（３５Ｓプロモーター）の０．７Kb  ＨｉｎｄIII −ＥｃｏＲＩフラグメント及びｐＣＧＮ７０９（転写７：３′、構成のためには前記を参照のこと）の０．５Kb  ＥｃｏＲＩ−ＳａｌＩフラグメントをｐＣＧＮ５６６のＨｉｎｄIII −ＳａｌＩ部位に挿入することによって、転写７からの３５Ｓプロモーター及び３′領域を、成長せしめ、ｐＣＧＮ７６６ｃを得た。
【００８７】
ｐＣＧＮ７８３の最終構成
ｐＣＧＮ７６６ｃ（ＣａＭＶ−３５Ｓプロモーター）の０．７Kb  ＨｉｎｄIII −ＥｃｏＲＩフラグメントを、ｐＵＣ１１９（Ｊ．Ｖｉｅｉｒａ，Ｒｕｔｇｅｒｓ  Ｕｎｉｖｅｒｓｉｔｙ，Ｎ．Ｊ．）のＨｉｎｄIII −ＳａｌＩ部位中の、ｐＣＧＮ７２６ｃの１．５Kb  ＥｃｏＲＩ−ＳａｌＩフラグメント（１−ＡＴＧ−ＫＡＮ−３′領域）に連結し、ｐＣＧＮ７８８を得た。
ＣａＭＶ  ３５Ｓプロモーター（１−ＡＴＧ−ＫＡＮ−３′領域）を含む、ｐＣＧＮ７８８のＨｉｎｄIII −ＳａｌＩフラグメントの２．２Kb領域を、ｐＣＧＮ７３９のＨｉｎｄIII −ＳａｌＩポリリンカー領域と交換し、ｐＣＧＮ７８３を得た。
【００８８】
ｐＣＧＮ５８７の調製
ＡＰＨ３′II〔Ｊｏｒｇｅｎｓｅｎなど、Ｍｏｌ．Ｇｅｎ．（１９７９）１７７：６５〕のための完全な構造遺伝子を含む、Ｔｎ５のＨｉｎｄIII −ＳａｌＩフラグメントは、ＳｍａＩ部位にすぐ隣接してＥｃｏＲＩ部位が存在するので、該フラグメントをＨｉｎｄIII −ＥｃｏＲＩフラグメント中に転換しながら、ｐＵＣ８〔Ｖｉｅｉｒａ  ａｎｄ  Ｍｅｓｓｉｎｇ，Ｇｅｎｅ（１９８２）１９：２５９〕にクローンされた。次に、ＡＰＨ３′II遺伝子の３′一部分を含むＰｓｔＩ−ＥｃｏＲＩフラグメントを、ｐＵＣ７（ｐＣＧＮ５４６Ｗ）のＥｃｏＲＩ部位中に、ＥｃｏＲＩ−ＢａｍＨＩ−ＳａｌＩ−ＰｓｔＩリンカーと共に組み合せた。
【００８９】
この構造体は耐カナマイシンを付与しないので、ＡＰＨ３′II遺伝子のＢｇｌII−ＰｓｔＩフラグメントをＢａｍＨＩ−ＰｓｔＩ部位（ｐＣＧＮ５４６Ｘ）中に挿入することによって、耐カナマイシンを得た。この方法は、ＡＰＨ３′II遺伝子を再構成し、その結果、ＥｃｏＲＩ部位がその遺伝子を端に有する。ＡＴＧコドンは、ＡＰＨ３′IIのＡＴＧ開始コドンから上流に存在し、そして該コドンと読み枠を整合していなかった。目的としないＡＴＧは、所望としないＡＴＧが、ＡＰＨ３′IIの５′−末端からのＳａｕ３Ａ−ＰｓｔＩフラグメント（該フラグメントは余分なＡＴＧを欠く）を、ｐＣＧＮ５４６Ｗ  ＢａｍＨＩ−ＰｓｔＩ部位に挿入することによって避けられ、プラスミドｐＣＧＮ５５０が得られた。次に、ＡＰＨ３′II遺伝子を含む、ｐＣＧＮ５５０のＥｃｏＲＩフラグメントを、ｐＵＣ８−ｐＵＣ１３〔Ｋ．Ｂｕｃｋｌｅｙ（１９８５）前記〕のＥｃｏＲＩ部位にクローンし、ｐＣＧＮ５５１を得た。
【００９０】
次に、ＡＰＨ３′II遺伝子を含むＥｃｏＲＩフラグメントのそれぞれを、ｐＣＧＮ４５１のユニークＥｃｏＲＩ部位発現のためのオクトピンシンテターゼを含む）に例１に記載しているようにしてクローン化し、ｐＣＧＮ５４８（２ＡＴＧ）及びｐＣＧＮ５５２（１ＡＴＧ）を得た。適切な向方にｏｃｓ５′及びｏｃｓ３′を有するプラスミドｐＣＧＮ４５１を、ＥｃｏＲＩにより消化し、そして完全な耐カナマイシン遺伝子を含むｐＣＧＮ５５１からのＥｃｏＲＩフラグメントを、ＥｃｏＲＩ部位に挿入し、正しい方向に耐カナマイシン遺伝子を有するｐＣＧＮ５５２を得た。
【００９１】
このｏｃｓ／ＫＡＮ遺伝子を用いて、トランス型の二成分ベクターｐＣＧＮ５８７のために選択可能なマーカーを得た。
構成されたオクトピンシンテターゼ  プロモーター  カセットの５′部分は、塩基対１５２０８〜１３６４４でＸｈｏＩからのｐＴｉＡ６  ＤＮＡからなり〔Ｂａｒｋｅｒなど、（１９８３）前記〕、そしてまた、Ｔ−ＤＮＡのトランスファーに関連されたＴ−ＤＮＡ境界配列（ボーダー）を含む。プラスミドｐＣＧＮ５８７においては、ｐＣＧＮ５５２からのｏｃｓ／ＫＡＮ遺伝子は、右のオーダーもまた選択可能なマーカーを提供する。初めに、左の境界領域を、ＭＢｍｐ９中にＨｉｎｄIII −ＳｍａＩ断片（ｐＣＧＮ５０２）（塩基対６０２〜２２１２）としてクローンし、そしてｐＣＧＮ５６５中にＫｐｎＩ−ＥｃｏＲＩフラグメントとして再クローンし、ｐＣＧＮ５８０を得た。
【００９２】
ｐＣＧＮ５６５は、ｐＵＣ８−Ｃｍに基づくクローニング  ベクターであるが、しかしｐＵＣ１８リンカーを含んでいる。ｐＣＧＮ５８０を、ＢａｍＨＩにより直線にし、そしてそれを用いて、ｐＶＣＫ１０２〔Ｋｎａｕｆ  ａｎｄ  Ｎｅｓｔｅｒ，Ｐｌａｓｍｉｄ（１９８２）８：４５〕の小さなＢｇｌＩフラグメントを交換し、ｐＣＧＮ５８５を得た。ｐＣＧＮ５８５の小さなＳａｌＩフラグメントとｏｃｓ／ＫＡＮ遺伝子を含む、ｐＣＧＮ５５２からのＸｈｏＩフラグメントとを交換することによって、ｐＣＧＮ５８７を得た。
【００９３】
ｐＣＧＮ１６７を構成するために、ＣｕＭＶのＡｌｕＩフラグメント（bp７１４４〜７７３５）〔Ｇａｒｄｎｅｒなど、ＮｕＣｌ．Ａｃｉｄｓ  Ｒｅｓ．（１９８１）９：２８７１〜２８８８〕をＡｌｕＩによる消化によって得、そしてＭ１３  ｍｐ７〔Ｖｉｅｉｒａ．Ｇｅｎｅ（１９８２）１９：２５９〕のＨｉｎｅII部位にクローンし、Ｃ６１４を得た。Ｃ６１４のＥｃｏＲＩ消化物は、３５Ｓプロモーターを含むＣ６１４からのＥｃｏＲＩフラグメントを産生し、このフラグメントを、ｐＵＣ８〔Ｖｉｅｉｒａなど、Ｇｅｎｅ（１９８２）１９：２５９〕中にクローンし、ｐＣＧＮ１４６を得た。
【００９４】
プロモーター領域を切断するために、ＢｇｌII部位（bp７６７０）を、ＢｇｌII及びＢａｌ３１により処理し、そして続いて、ＢｇｌIIリンカーを、Ｂａｌ３１により処理されたＤＮＡに結合し、ｐＣＧＮ１４７を得た。
プロモーター領域、選択可能なマーカー（２ＡＴＧを有するＫＡＮ）及び３′領域を含むｐＣＧＮ１４８ａを、ＢｇｌIIによりｐＣＧＮ５２８（下記参照のこと）を消化し、そしてｐＣＧＮ１４７からのＢａｍＨＩ−ＢｇｌIIプロモーターフラグメントを挿入することによって調製した。このフラグメントを、ｐＣＧＮ５２８のＢｇｌII部位にクローンし、その結果、該ＢｇｌII部位が、ｐＣＧＮ５２８のカナマイシン遺伝子に隣接した。
【００９５】
この構造体のために使用されたシャトルベクター、ｐＣＧＮ５２８を次のようにして製造した。カナマイシン遺伝子を含むＴｎ５を含むプラスミド〔Ｊｏｒｇｅｎｓｏｎなど、Ｍｏｌ．Ｇｅｎ．（１９７９）１７７：６５〕をＨｉｎｄIII −ＢａｍＨＩにより消化し、そしてそのカナマイシン遺伝子を含むＨｉｎｄIII −ＢａｍＨＩフラグメントを、ｐＡＣＹＣ１８４〔Ｃｈａｎｇ  ＆  Ｃｏｈｅｎ．Ｊ．Ｂａｃｔｅｒｉｏｌ．（１９７８）１３４：１１４１〜１１５６〕のテトラサイクリン遺伝子のＨｉｎｄIII −ＢａｍＨＩ部位に挿入することによって、ｐＣＧＮ５２５を製造した。
【００９６】
１９９ｆｐＴｉＡ６〔Ｔｈｏｍａｓｈｏｗなど、Ｃｅｌｌ（１９８０）１９：７２９〜７３９〕のＢａｍＨＩフラグメントをｐＣＧＮ５２５のＢａｍＨＩ部位に挿入することによって、ｐＣＧＮ５２６を製造した。ｐＣＧＮ５２６から小さなＸｈｏＩフラグメントを切断し、ＸｈｏＩにより消化し、そして再結合することによって、ｐＣＧＮ５２８を製造した。
ｐＭＢ９Ｋａｎ  ＸＸＩからのＢａｍＨＩカナマイシン遺伝子をｐＣＧＮ１４８ａのＢａｍＨＩ部位にクローンすることによって、ｐＣＧＮ１４９ａを製造した。
【００９７】
ｐＭＢ９Ｋａｎ  ＸＸＩは、ＸｈｏＩ部位を欠くが、しかしアグロバクテリアム中において効果的な選択を可能にするために、Ｔｎ９０３からの機能的な遺伝子を含むｐＵＣ４Ｋ変異体〔Ｖｉｅｉｒａ  ＆  Ｍｅｓｓｉｎｇ．Ｇｅｎｅ（１９８２）１９：２５９〜２６８〕である。
ｐＣＧＮ１４９ａを、ＢｇｌII及びＳｐｈＩにより消化した。このｐＣＧＮ１４９ａの小さなＢｇｌII−ＳｐｈＩフラグメントをＢａｍＨＩ及びＳｐｈＩによる消化によって単離されたＭＩ（下記参照のこと）からのＢａｍＨＩ−ＳｐｈＩフラグメントと交換した。これは、完全な長さのＣａＭＶプロモーター、１ＡＴＧ−カナマイシン遺伝子、３′末端及び細菌のＴｎ９０３型カナマイシン遺伝子を含む構造体、すなわちｐＣＧＮ１６７を産生する。ＭＩは、ｐＣＧＮ５５０（ｐＣＧＮ５８７の構成を参照のこと）からのＥｃｏＲＩフラグメントであり、そして１ＡＴＧ−カナマイシン遺伝子におけるＰｓｔＩ部位がＭ１３  ｍｐ９のポリリンカー領域に隣接するように、Ｍ１３  ｍｐ９のＥｃｏＲＩクローニング部位にクローンされた。
【００９８】
宿主中に発現される遺伝子のｍＲＮＡに相補的な配列の転写を提供することによって、植物宿主のゲノムにおける遺伝子の発現を調節することが可能であることが上記結果から明らかである。この場合、種々の過程が変性又は調節され、特定の生成物の産生の増強、細胞分化及び発育の変化、生成物の形成の阻害、表現型の変化又は同様のものが得られる。アンチ−センス調節の使用は、特定の生成物の発現の実質的な阻害又は種々の還元度を提供することができる。この場合、細胞の表現型は、異質タンパク質の産生なしに及び特定の遺伝子に対する特別な目標でもって変性され得る。
【００９９】
前述の発明は、明確に理解するために例示的及び例的にいくらか詳細に記載されているけれども、特許請求の範囲内で修飾及び変更を行なうことができる。
ｐＣＧＮ９７８×Ｋ１２を、１９８６年３月２５日にＡ．Ｔ．Ｃ．Ｃ．に寄託し、そして寄託番号第６７０６４号を得、そしてｐＣＧＮ１４０１を、１９８６年１０月７日にＡ．Ｔ．Ｃ．Ｃ．に寄託し、そして寄託番号第６７２２７号を得た。
【０１００】
【配列表】
配列番号：１
配列の長さ：７０
配列の型：アミノ酸
トポロジー：直鎖状
0003670889.tif 000004
【０１０１】
配列番号：２
配列の長さ：２１０
配列の型：核酸
トポロジー：直鎖状
0003670889.tif 000005
【図面の簡単な説明】
【図１】図１は、ｐＣＧＮ１４０１からのＥｃｏＲＩ−ＢａｍＨＩフラグメントを示す。このフラグメントは、成熟したポリガラクツロナーゼ  タンパク質のＮ−末端をコードする領域を含むＰ１の５′−部分に対応する。下線を引かれたアミノ酸は、ＤＮＡ配列から予測され、そして精製されたポリガラクツロナーゼから科学的配列決定によって決定されたアミノ酸配列と一致する。
【図２】図２は図１の続きである。
【図３】図３は、二成分ベクターｐＣＧＮ７８３の構成において使用される種々のプラスミドのフローチャートである。
【図１】
0003670889.tif 000006
【図２】
0003670889.tif 000007
【図３】
0003670889.tif 000008